(57)【要約】【課題】  国際ダイアルフォーマットを使用する電話通信方法の提供。【解決手段】  この方法は、既存のダイアル方式を包含し、これにより国際旅客が国際ダイアル方式を使用して現地の電話にダイアルできる。本発明の通信方法のステップは、まずダイアルコードを受け取った後、ＰＳＴＮの電話交換機がダイアルコードの開始端がＩＤＤヘッダーコードであるかを判断し、そうでなければオリジナルの方法を使用して市内及び長距離電話をダイヤルし、もしそうであれば、現地国コードと比較し、符合しなければ、国際電話となし、符合すれば国際国際電話フォーマットで市内電話或いは長距離電話をダイアルし、更にエリアコードと比較し、符合すれば市内電話となし、符合しなければ長距離電話となす。【選択図】        図３
2007067689.tif 000002
【特許請求の範囲】
【請求項１】
国際ダイアルフォーマットを使用する電話通信方法において、この方法は、ＰＳＴＮ電話交換機によ電話ダイアルコードの通信、ダイアル接続を処理し、そのステップは、
ａ．ダイアルコードを受信するステップ、
ｂ．該ダイアルコードの前端シリアル数字が現地ＩＤＤイニシャルコードと同じであるかを比較判断し、同じでなければ市内電話と長距離電話のオリジナルロジックステップを処理するステップ、
ｃ．該ダイアルコード中より現地ＩＤＤイニシャルコードを除去し、第１新ダイアルコードを生成するステップ、
ｄ．該第１新ダイアルコードの前端シリアル数字が現地国コードと同じであるかを比較判断し、同じでなければ該第１新ダイアルコードの前に国際電話ダイアル用のＩＤＤイニシャルコードを加え、並びに国際電話処理のオリジナルロジックステップにジャンプするステップ、
ｅ．該第１新ダイアルコード中より国コードを除去して第２新ダイアルコードを生成するステップ、
ｆ．第２新ダイアルコードと現地エリアコードが同じであるかを比較判断し、同じであれば該第２新ダイアルコード中よりエリアコードを除去し、並びに市内電話処理のオリジナルロジックステップにジャンプするステップ、
ｇ．第２新ダイアルコードの前に長距離電話ダイアル用のＮＤＤイニシャルコードを挿入し、並びに長距離電話処理のオリジナルロジックステップにジャンプするステップ、
を包含することを特徴とする、国際ダイアルフォーマットを使用する電話通信方法。
【請求項２】
請求項１記載の国際ダイアルフォーマットを使用する電話通信方法において、ダイアルコードはＥ．１６４国際電話フォーマットとされることを特徴とする、国際ダイアルフォーマットを使用する電話通信方法。
【請求項３】
請求項２記載の国際ダイアルフォーマットを使用する電話通信方法において、Ｅ．１６４国際電話フォーマットは＋国コード（Ｃｏｕｎｔｒｙ  Ｃｏｄｅ）−エリアコード（Ａｒｅａ  Ｃｏｄｅ）−サブスクライバー番号（Ｓｕｂｓｃｒｉｂｅｒ  ｎｕｍｂｅｒ）であることを特徴とする、国際ダイアルフォーマットを使用する電話通信方法。
【請求項４】
請求項３記載の国際ダイアルフォーマットを使用する電話通信方法において、国コードがＩＤＤ（国際直通ダイアル：Ｉｎｔｅｒｎａｔｉｏｎａｌ  Ｄｉｒｅｃｔ  Ｄｉａｌｉｎｇ）コードとされ、一つの国から別の国にダイアルするときに使用されるコードであることを特徴とする、国際ダイアルフォーマットを使用する電話通信方法。
【請求項５】
請求項３記載の国際ダイアルフォーマットを使用する電話通信方法において、エリアコードがＮＤＤ（ナショナル直通ダイアル：Ｎａｔｉｏｎａｌ  Ｄｉｒｅｃｔ  Ｄｉａｌｉｎｇ）コードとされ、一つの具体的地理エリアで使用されるコードを表面することを特徴とする、国際ダイアルフォーマットを使用する電話通信方法。
【請求項６】
請求項１記載の国際ダイアルフォーマットを使用する電話通信方法において、ダイアルコードがシリアルの０−９から構成された数字であることを特徴とする、国際ダイアルフォーマットを使用する電話通信方法。
【請求項７】
請求項１記載の国際ダイアルフォーマットを使用する電話通信方法において、ａのステップの後に、更に、
ダイアルコードの長さが標準ＩＤＤイニシャルコードの長さより少ないかを比較判断し、もし少なければエラーダイアルコードとして該ダイアルコードを排除するステップ、  を包含することを特徴とする、国際ダイアルフォーマットを使用する電話通信方法。
【請求項８】
請求項１記載の国際ダイアルフォーマットを使用する電話通信方法において、ｃのステップの後に、更に、
第１新ダイアルコードの長さが標準国コードの長さより少ないかを比較判断し、少なければエラーダイアルコードとして該第１新ダイアルコードを排除するステップ、
を包含することを特徴とする、国際ダイアルフォーマットを使用する電話通信方法。
【請求項９】
請求項１記載の国際ダイアルフォーマットを使用する電話通信方法において、ｅのステップの後に、更に、
第２新ダイアルコードの長さが標準エリアコードの長さより少ないかを比較判断し、少なければエラーダイアルコードとして該第２新ダイアルコードを排除するステップ、
を包含することを特徴とする、国際ダイアルフォーマットを使用する電話通信方法。
【発明の詳細な説明】
【技術分野】
【０００１】
本発明は一種の国際ダイアルフォーマットを使用する電話通信方法に係り、特に一種の、市内通話と長距離電話のほかに国際旅客に国際ダイアルフォーマットを使用させて現地電話にダイアルさせる通信方法に関する。
【背景技術】
【０００２】
図１は周知の通信システムの電話ダイアルの構造表示図である。図示されるように、使用者が通信システム（ネットワーク電話システム、携帯電話システム或いは一般のＰＳＴＮ電話システム）を使用してダイアルする時には、必ず電話装置１０１により電話番号をダイアルして、ＰＳＴＮ（公衆電話交換網）１０２の運転を通して、別の電話装置１０３に接続しなければならず、使用者がこの電話装置１０１を使用する時には、現地のダイアル方式により電話番号をダイアルしなければ別の電話装置１０３に接続できない。
【０００３】
一般に電話番号のエンコード方式は電信産業により規定された電話番号及び如何に電話をダイアルするかの規則である。電話番号は一列の０から０の十進数数字であり、ＰＳＴＮ電話交換機が認識できる目的に用いられ、ダイアル方式はクライアントがダイアルする電話番号の数量と数字モードを記述し、Ｅ．１６４はＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）が使用推奨する電話ダイアル方式でありそれは国際公開電信のエンコード方法を規定する。Ｅ．１６４の規定に基づき、一つのエリアの一つの電話番号構造は、以下を包含する。即ち、
１．国コード（Ｃｏｕｎｔｒｙ  Ｃｏｄｅ）−又は国代表コードとＩＤＤ（Ｉｎｔｅｒｎａｔｉｏｎａｌ  Ｄｉｒｅｃｔ  Ｄｉａｌｉｎｇ：国際直通ダイアル）コードと称され、これは国コードであり、一つの国から別の国へのダイアルに使用される。
２．エリアコード−又は目的値コードとＮＤＤ（Ｎａｔｉｏｎａｌ  Ｄｉｒｅｃｔ  Ｄｉａｌｉｎｇ：ナショナル直通ダイアル）コードと称され、それは通常、具体的な地理エリアを表面する。
３．サブスクライバー番号（Ｓｕｂｓｃｒｉｂｅｒ  Ｎｕｍｂｅｒ）。
【０００４】
これにより我々は国コード、エリアコード、サブスクライバー番号を包含するＥ．１６４の電話番号を認識する。ＺｙＸＥＬ本部の電話番号（８８６−３−５７８３９４２）を例に挙げると、８８６は台湾の国コード、３は新竹エリアコード、５７８−３９４２はサブスクライバー番号である。
【０００５】
電話番号のフォーマットのほか、Ｅ．１６４はまた国コードのメニュー及び国際ダイアル方式を規定している。Ｅ．１６４により規定された国際ダイアル方式によると、国際ダイアルフォーマットは、即ち、「＋」国コード「−」エリアコード「−」サブスクライバー番号」である。「＋」は国際電話イニシャルコードであり、即ちＩＤＤ（国際直通ダイアル）イニシャルコードである。各国或いは地区のＩＤＤイニシャルコードのエンコード方式はいずれもその自己の価値を有し、例えば０１１は北米が定義するＩＤＤイニシャルコードで、北米エリア（アメリカ合衆国、カナダ、バミューダ或いはカリブ国家）からＺｙＸＥＬ本部にダイアルする時にダイアルする数字は、０１１−８８６−３−５７８−３９４２である。
【０００６】
Ｅ．１６４の定義するダイアル方式は市内電話と長距離電話を包含せず、市内電話と長距離電話をダイアルする方式は各地方性或いは各国範囲内のエンコード方法により規定される。大多数の各地或いは各国のＮＤＤ（Ｎａｔｉｏｎａｌ  Ｄｉｒｅｃｔ  Ｄｉａｌｉｎｇ）イニシャルコードのエンコード方法に対して長距離電話と規定しているが、ＮＤＤイニシャルコードの規定は標準規則ではない。
【０００７】
例えば、北米州のエンコード方法によると、「１」はＮＤＤイニシャルコードと規定され、台湾のＮＤＤイニシャルコードは「０」と規定される。ＺｙＸＥＬ米国会社の電話番号「１−７１４−６３２−０８８２」を例にとると、「１」は米国の国コード、「７１４」はカリフォルニアのアナハイムのエリアコード、６３２−０８８２はサブスクライバー番号である。これにより直接数字６３２−０８８２をダイアルすればそれは市内電話とされるが、１−７１４−６３２−０８８２をダイアルすれば直距離電話である（このうち「１」はＮＤＤイニシャルコードであり国コードではない）。
【０００８】
これにより、国際旅客がある新エリア或いは国に到達した時、通常は現地の電話番号を使用して電話を掛けることはできず、その原因は、各エリア或いは国のダイアル方式が異なり、且つ一つの普遍的標準ではないことにある。国際旅客は並びにすべてのエリア或いは国のダイアル方式を知ることはできず、これにより可能な解決方法の一つは、現在有るＰＳＴＮ電話交換機がいずれもＥ．１６４国際ダイアル方式を認識出来るようにすることである（エリア性或いは国性のダイアル方式を除く。）。
【０００９】
但し残念なことに、Ｅ．１６４国際ダイアル方式はエリア性のダイアル方式と衝突する。台湾のＩＤＤイニシャルコード００１を例に挙げると、台湾のダイアル方式でＺｙＸＥＬアメリカ支社にダイアルするならば、その番号は００１−１−７１４−６３２０８８２となる。このような状況で、非常に多くの現在の使用者及びＰＳＴＮ電話交換機の混乱を引き起しうる。
【００１０】
ゆえに、上述の不便と欠点を解決するため、本発明は一種の国際ダイアルフォーマットを使用する電話通信方法を提供し、それは、特に、市内電話と長距離電話のほか、国際ダイアルフォーマット使用のメカニズムを規定し、国際旅客が国際電話をダイアルする方法で現地の電話にダイアルできるようにし、且つ現地使用者の操作方式を改変せず、合理的設計で上述の欠点を有効に改善できる方法であるものとする。
【発明の開示】
【発明が解決しようとする課題】
【００１１】
本発明の主要な目的は一種の国際ダイアルフォーマットを使用する電話通信方法を提供することにあり、この通信方法は、現在のダイアル方式を包含し、国際旅客に国際電話フォーマットを使用して現地の電話にダイアルさせることができ、現地使用者の市内電話と長距離電話の操作も改変しない方法であるものとする。
【００１２】
上述の目的を達成するための本発明の技術特徴は以下のとおりである。即ち、本発明はＰＳＴＮ電話交換機の国際電話フォーマット中での市内電話、長距離電話及び国際電話の認識力を高める方法であり、この方法は電話交換機がダイアルコードを受け取った後、そのダイアルコードの開始端がＩＤＤイニシャルコードであるか否かを認識し、もしＩＤＤイニシャルコードでなければ、オリジナルの方法を使用して市内及び長距離電話を配置し、もしＩＤＤイニシャルコードであれば、国コードを比較し、相互に符合すれば国際電話となし、符合しなければ国際電話フォーマットの市内或いは長距離電話をダイアルし、最後にエリアコードを比較し、相互に符合すれば市内電話とし、符合しなければ長距離電話となす。
【課題を解決するための手段】
【００１３】
請求項１の発明は、国際ダイアルフォーマットを使用する電話通信方法において、この方法は、ＰＳＴＮ電話交換機によ電話ダイアルコードの通信、ダイアル接続を処理し、そのステップは、
ａ．ダイアルコードを受信するステップ、
ｂ．該ダイアルコードの前端シリアル数字が現地ＩＤＤイニシャルコードと同じであるかを比較判断し、同じでなければ市内電話と長距離電話のオリジナルロジックステップを処理するステップ、
ｃ．該ダイアルコード中より現地ＩＤＤイニシャルコードを除去し、第１新ダイアルコードを生成するステップ、
ｄ．該第１新ダイアルコードの前端シリアル数字が現地国コードと同じであるかを比較判断し、同じでなければ該第１新ダイアルコードの前に国際電話ダイアル用のＩＤＤイニシャルコードを加え、並びに国際電話処理のオリジナルロジックステップにジャンプするステップ、
ｅ．該第１新ダイアルコード中より国コードを除去して第２新ダイアルコードを生成するステップ、
ｆ．第２新ダイアルコードと現地エリアコードが同じであるかを比較判断し、同じであれば該第２新ダイアルコード中よりエリアコードを除去し、並びに市内電話処理のオリジナルロジックステップにジャンプするステップ、
ｇ．第２新ダイアルコードの前に長距離電話ダイアル用のＮＤＤイニシャルコードを挿入し、並びに長距離電話処理のオリジナルロジックステップにジャンプするステップ、
を包含することを特徴とする、国際ダイアルフォーマットを使用する電話通信方法としている。
請求項２の発明は、請求項１記載の国際ダイアルフォーマットを使用する電話通信方法において、ダイアルコードはＥ．１６４国際電話フォーマットとされることを特徴とする、国際ダイアルフォーマットを使用する電話通信方法としている。
請求項３の発明は、請求項２記載の国際ダイアルフォーマットを使用する電話通信方法において、Ｅ．１６４国際電話フォーマットは＋国コード（Ｃｏｕｎｔｒｙ  Ｃｏｄｅ）−エリアコード（Ａｒｅａ  Ｃｏｄｅ）−サブスクライバー番号（Ｓｕｂｓｃｒｉｂｅｒ  ｎｕｍｂｅｒ）であることを特徴とする、国際ダイアルフォーマットを使用する電話通信方法としている。
請求項４の発明は、請求項３記載の国際ダイアルフォーマットを使用する電話通信方法において、国コードがＩＤＤ（国際直通ダイアル：Ｉｎｔｅｒｎａｔｉｏｎａｌ  Ｄｉｒｅｃｔ  Ｄｉａｌｉｎｇ）コードとされ、一つの国から別の国にダイアルするときに使用されるコードであることを特徴とする、国際ダイアルフォーマットを使用する電話通信方法としている。
請求項５の発明は、請求項３記載の国際ダイアルフォーマットを使用する電話通信方法において、エリアコードがＮＤＤ（ナショナル直通ダイアル：Ｎａｔｉｏｎａｌ  Ｄｉｒｅｃｔ  Ｄｉａｌｉｎｇ）コードとされ、一つの具体的地理エリアで使用されるコードを表面することを特徴とする、国際ダイアルフォーマットを使用する電話通信方法としている。
請求項６の発明は、請求項１記載の国際ダイアルフォーマットを使用する電話通信方法において、ダイアルコードがシリアルの０−９から構成された数字であることを特徴とする、国際ダイアルフォーマットを使用する電話通信方法としている。
請求項７の発明は、請求項１記載の国際ダイアルフォーマットを使用する電話通信方法において、ａのステップの後に、更に、
ダイアルコードの長さが標準ＩＤＤイニシャルコードの長さより少ないかを比較判断し、もし少なければエラーダイアルコードとして該ダイアルコードを排除するステップ、  を包含することを特徴とする、国際ダイアルフォーマットを使用する電話通信方法としている。
請求項８の発明は、請求項１記載の国際ダイアルフォーマットを使用する電話通信方法において、ｃのステップの後に、更に、
第１新ダイアルコードの長さが標準国コードの長さより少ないかを比較判断し、少なければエラーダイアルコードとして該第１新ダイアルコードを排除するステップ、
を包含することを特徴とする、国際ダイアルフォーマットを使用する電話通信方法としている。
請求項９の発明は、請求項１記載の国際ダイアルフォーマットを使用する電話通信方法において、ｅのステップの後に、更に、
第２新ダイアルコードの長さが標準エリアコードの長さより少ないかを比較判断し、少なければエラーダイアルコードとして該第２新ダイアルコードを排除するステップ、
を包含することを特徴とする、国際ダイアルフォーマットを使用する電話通信方法としている。
【発明の効果】
【００１４】
本発明はＰＳＴＮの電話交換機中に本発明独自の処理ステップを加え、国際旅行者に国際ダイアル方式で現地の電話を掛けさせ、並びに現地使用者の電話操作習慣を改変せず、ゆえに、本発明は周知の技術とは異なる設計であり、全体の使用価値を高め、またその出願前に頒布された刊行物に記載がなく、また公開使用されていないため、特許の要件に符合する。
【発明を実施するための最良の形態】
【００１５】
図２は本発明のダイアル側と電話相手側の間の電話通信表示図である。本発明は国際旅行者が周知のＥ．１６４国際ダイアル方式を使用して現地電話をダイアルする。これにより本発明はＰＳＴＮ電話交換機（Ｔｅｌｃｏ  Ｓｗｉｔｃｈ−１）の国際電話フォーマット中での市内電話と長距離電話認識の能力を高め、国際旅行者に現地電話を使用させ、該電話交換機１はオリジナルダイアル方式により市内電話及び長距離電話を認識し、これにより現地使用者の操作習慣を改変しない。
【００１６】
本発明の基本原理は、最も標準的なＥ．１６４国際電話フォーマットをダイアル方式とする、というものである。これにより国際旅客は現地電話のＩＤＤイニシャルコードを知るだけでよい。多くの場所で現地のＩＤＤイニシャルコードを調べることができ、例えば広告雑誌、旅行案内、地図、公衆電話等で知ることができこれにより全体のダイアル方式が更に容易となる。
【００１７】
図３及び図４は本発明の国際電話フォーマットを使用してダイアルするフローチャートである。本発明の利用する国際電話フォーマットの処理フローによると、まず、現地ＰＳＴＮ電話交換機によりダイアルコードを受信する（Ｓ３０１）。ダイアルコードはシリアルの０−９で構成された数字であり、且つダイアルされるコードは現地ダイアル方式によるものとされ、そうでなければ現地の電話交換機は受信できない。続いて電話交換機が該ダイアルコードの開始端がＩＤＤイニシャルコードであるかを判断し、その判断方式は該ダイアルコードの長さが標準ＩＤＤイニシャルコードの長さより少ないか否かの比較により、少なければエラーダイアルコードとされ、このダイアルコードを排除する（Ｓ３０２）。
【００１８】
続いてこのダイアルコードの前端シリアル数字が現地ＩＤＤイニシャルコードと同じであるかを比較する（Ｓ３０３）。もし同じでなければ現地市内電話或いは長距離電話のダイアルとされて、現在のロジックステップよりジャンプし、市内電話と直距離電話のオリジナルロジックステップを処理する（Ｓ３０４）。もしダイアルコードの前端シリアル数字が現地ＩＤＤイニシャルコードが同じであれば、ダイアルコード中の現地ＩＤＤイニシャルコードを除去し、第１新ダイアルコードを生成する（Ｓ３０５）。
【００１９】
続いて第１新ダイアルコードの長さが標準国コードの長さより少ないかを比較し、もし少なければエラーダイアルコードとして第１新ダイアルコードを排除する（Ｓ３０６）。更に該第１新ダイアルコードの前端シリアル数字と現地国コードが同じかを比較する（Ｓ３０７）。もし同じでなければ、第１新ダイアルコードの前に国際電話ダイアルするためのＩＤＤイニシャルコードを加え（Ｓ３０８）、並びに現在の処理ロジックステップよりジャンプし、国際電話処理のオリジナルロジックステップにジャンプする（Ｓ３０９）。
【００２０】
もし第１新ダイアルコードの前端シリアル数字と現地国コードが同じであれば、該第１新ダイアルコード中より国コードを除去し（Ｓ３１０）、第２新ダイアルコードを生成し、更に第２新ダイアルコードの長さが標準エリアコードの長さより少ないかを比較判断する（Ｓ３１１）。もし少なければエラーダイアルコードとなし、該第２新ダイアルコードを排除する（Ｓ３１２）。
【００２１】
続いて、該第２新ダイアルコードと現地エリアコードが同じであるかを比較判断し、もし同じであれば、第２新ダイアルコード中より該エリアコードを除去し（Ｓ３１３）、並びに現在のロジックステップよりジャンプし、市内電話のオリジナルロジックステップにジャンプする（Ｓ３１４）。但し、もし第２新ダイアルコードが現地エリアコードと同じでなければ、第２新ダイアルコードの前に長距離電話ダイアル用のＩＤＤイニシャルコードを挿入する（Ｓ３１５）。最後に長距離電話処理のオリジナルロジックステップにジャンプする（Ｓ３１６）。
【図面の簡単な説明】
【００２２】
【図１】周知の通信システムの電話ダイアルの構造表示図である。
【図２】本発明のダイアル側と電話相手側の間の電話通信表示図である。
【図３】本発明の国際電話フォーマットを使用してダイアルするフローチャートである。
【図４】本発明の国際電話フォーマットを使用してダイアルするフローチャートである。
【符号の説明】
【００２３】
１０１  電話装置
１０２  ＰＳＴＮ
１０３  電話システム
【図１】
2007067689.tif 000003
【図２】
2007067689.tif 000004
【図３】
2007067689.tif 000005
【図４】
2007067689.tif 000006